(57)【要約】【課題】ネジにワッシャを簡単に装着できるようにする。【解決手段】治具１０は、上面１１ａに頭部２を収容してネジ部３を立設させる収容部１２を有する第１の板１１と、上面１４ａに頭部２の外径より大きい外径の平ワッシャ４を収容する凹部１５を有する第２の板１４と、を備え、第２の板１４は、凹部１５から下面１４ｂにかけて貫通しネジ１の頭部２を通過可能とする貫通孔１６を備え、貫通孔１６にネジ部３を貫通させ第１の板１１の上に第２の板１４を重ねるように構成したため、第１の板１１の上に第２の板１４を重ね合わせ、貫通孔１６を通じてネジ１を取り出すだけでネジ１に平ワッシャ４を簡単に装着することができる。【選択図】図１
2018058161.tif 000002
【特許請求の範囲】
【請求項１】
頭部とネジ部とからなるネジにワッシャを装着する治具であって、
上面に該頭部を載置して該ネジ部を立設させる立設手段を有する第１の板と、
上面に該頭部の外径より大きい外径のワッシャを収容する凹部を有する第２の板と、を備え、
該第２の板は、該凹部から下面にかけて貫通し該ネジの該頭部を通過可能とする貫通孔を備え、
該貫通孔に該ネジ部を挿入して該第１の板の上に該第２の板を重ねて該ネジに該ワッシャが装着される治具。
【請求項２】
前記立設手段は、前記頭部を収容する凹形状の収容部により構成される請求項１記載の治具。
【請求項３】
前記立設手段は、前記頭部に嵌入する形状の突起部により構成される請求項１記載の治具。
【請求項４】
前記ワッシャは、スプリングワッシャ及び平ワッシャであり、
前記第２の板を構成する前記凹部は、該スプリングワッシャを収容する第１の長円凹部と該第１の長円凹部の上で該平ワッシャを収容する第２の長円凹部と、から構成され、
該第２の板を構成する前記貫通孔は、下面と該第１の長円凹部及び該第２の長円凹部とを貫通して前記ネジの前記頭部を通過可能とする第２の貫通孔と、該第２の貫通孔に接続され該頭部の通過を制限し前記ネジ部のみを通過可能とする長穴貫通孔と、から構成される請求項１記載の治具。
【発明の詳細な説明】
【技術分野】
【０００１】
本発明は、ネジにワッシャを装着する治具に関する。
【背景技術】
【０００２】
２つの部品をネジ部と頭部とからなるネジで連結する際には、ワッシャが装着されたネジが用いられる。例えば、ナット構造の貫通孔が形成された一方の部品に対して他方の部品をネジで連結する場合、ネジ部に例えばワッシャを装着して、頭部と他方の部品との間にワッシャを介在させ、一方の部品に形成された貫通孔にネジ部を螺入させることにより、２つの部品を連結している（例えば、下記の特許文献１を参照）。
【０００３】
ここで、ネジを貫通させる一方の部品の貫通孔が長く形成され一方の部品の位置調節を可能にしている場合には、ワッシャを用いることで、ネジの頭部が接触する座面を確保して頭部が貫通孔に進入しないようにしている。通常、頭部の下面よりワッシャの方が広い面積を有しているため、ワッシャで座面を確保しつつ貫通孔を塞いで、貫通孔にネジのネジ部を螺合させることができる。
【先行技術文献】
【特許文献】
【０００４】
【特許文献１】特開平８−２１９１３８号公報
【発明の概要】
【発明が解決しようとする課題】
【０００５】
しかし、ネジにワッシャを装着する装着動作、すなわち、ワッシャの開口にネジを挿入する作業が面倒となっている。また、事前にワッシャが装着されたネジは、ネジの種類毎に分別する必要があり、その管理が困難となっている。
【０００６】
本発明は、上記の事情に鑑みてなされたもので、ネジにワッシャを簡単に装着できるようにすることを目的としている。
【課題を解決するための手段】
【０００７】
本発明は、頭部とネジ部とからなるネジにワッシャを装着する治具であって、上面に該頭部を載置して該ネジ部を立設させる立設手段を有する第１の板と、上面に該頭部の外径より大きい外径のワッシャを収容する凹部を有する第２の板と、を備え、該第２の板は、該凹部から下面にかけて貫通し該ネジの該頭部を通過可能とする貫通孔を備え、該貫通孔に該ネジ部を挿入して該第１の板の上に該第２の板を重ねて該ネジに該ワッシャが装着される。
【０００８】
上記立設手段は、上記頭部を収容する凹形状の収容部により構成されることが好ましい。
【０００９】
上記立設手段は、上記頭部に嵌入する形状の突起部により構成されることが好ましい。
【００１０】
さらに、上記ワッシャは、スプリングワッシャ及び平ワッシャであり、上記第２の板を構成する上記凹部は、該スプリングワッシャを収容する第１の長円凹部と該第１の長円凹部の上で該平ワッシャを収容する第２の長円凹部と、から構成され、該第２の板を構成する上記貫通孔は、下面と該第１の長円凹部及び該第２の長円凹部とを貫通して上記ネジの上記頭部を通過可能とする第２の貫通孔と、該第２の貫通孔に接続され該頭部の通過を制限し該ネジ部のみを通過可能とする長穴貫通孔と、から構成される。
【発明の効果】
【００１１】
本発明にかかる治具は、上面に頭部を載置してネジ部を立設させる立設手段を有する第１の板と、上面に頭部の外径より大きい外径のワッシャを収容する凹部を有する第２の板と、を備え、第２の板は、凹部から下面にかけて貫通しネジの頭部を通過可能とする貫通孔を備え、貫通孔にネジ部を貫通させ第１の板の上に第２の板を重ねるように構成したため、第１の板の上に第２の板を重ね合わせ、貫通孔を通じてネジを取り出すだけでネジにワッシャを簡単に装着することが可能となっている。
【００１２】
上記立設手段が、頭部を収容する凹形状の収容部により構成される場合は、収容部にネジの頭部を嵌入させることで、第１の板の上面からネジ部を立設させることができ、この状態の第１の板の上に第２の板を重ね合わせ、貫通孔を通じてネジを取り出すだけでネジにワッシャを簡単に装着することができる。
【００１３】
上記立設手段が、頭部に嵌入する形状の突起部により構成される場合は、突起部にネジの頭部を差し込むことで、第１の板の上面からネジ部を立設させることができ、この状態の第１の板の上に第２の板を重ね合わせ、貫通孔を通じてネジを取り出すだけでネジにワッシャを簡単に装着することができる。
【００１４】
さらに、上記ワッシャがスプリングワッシャ及び平ワッシャである場合は、上記第２の板を構成する上記凹部は、スプリングワッシャを収容する第１の長円凹部と第１の長円凹部の上で平ワッシャを収容する第２の長円凹部と、から構成され、第２の板を構成する上記貫通孔は、下面と第１の長円凹部及び第２の長円凹部とを貫通して上記ネジの上記頭部を通過可能とする第２の貫通孔と、第２の貫通孔に接続され頭部の通過を制限し上記ネジ部のみを通過可能とする長穴貫通孔と、から構成されるため、第１の板の上に第２の板を重ね合わせ、第２の貫通孔を通じてネジを取り出すだけでネジにスプリングワッシャ及び平ワッシャを簡単に装着することができる。
【図面の簡単な説明】
【００１５】
【図１】治具の第１例の構成を示す分解斜視図である。
【図２】第１例において、第１の板の収容部にネジが収容され第２の板の凹部に平ワッシャが収容された状態を示す斜視図である。
【図３】第１例において、第１の板の上に第２の板を重ね合わせた状態を示すとともに、平ワッシャが装着されたネジを治具から取り出す状態を示す斜視図である。
【図４】第１例において、第１の板の上に第２の板を重ね合わせ、ネジ部に平ワッシャが取り付けられた状態を示す一部拡大断面図である。
【図５】治具の第２例の構成を示す分解斜視図である。
【図６】第２例において、第１の板の上に第２の板を重ね合わせた状態を示すとともに、平ワッシャが装着されたネジを治具から取り出す状態を示す斜視図である。
【図７】第２例において、第１の板の上に第２の板を重ね合わせ、ネジ部に平ワッシャが取り付けられた状態を示す一部拡大断面図である。
【図８】治具の第３例の構成を示す分解斜視図である。
【図９】第３例における第２の板の一部を上面側からみた平面図である。
【図１０】図８に示す第２の板のａ−ａ’線断面図である。
【図１１】（ａ）は第１の板の上に第２の板を重ね合わせ、ネジ部にスプリングワッシャ及び平ワッシャが取り付けられた状態を示す一部拡大断面図である。（ｂ）は第２の貫通孔からスプリングワッシャ及び平ワッシャが装着されたネジを取り出す状態を示す一部拡大断面図である。
【図１２】複数種類のネジを収容可能な第１の板の構成を示す一部拡大断面図である。
【発明を実施するための形態】
【００１６】
１  第１の実施形態
図１に示す治具１０は、ネジにワッシャを装着する治具の第１例である。本実施形態に示すネジ１は、特に限定されず、頭部２とネジ部３とからなる。頭部２は、例えば、円柱状に形成され、六角レンチを挿入するための六角穴が形成されている。ワッシャとしては、例えば平ワッシャ４が用いられる。平ワッシャ４は、頭部２の外径より大きい外径を有している。平ワッシャ４の中央部分には、ネジ１のネジ部３を挿入するための開口４ａが形成されている。平ワッシャ４は、例えば金属、ゴム、シリコン等により形成されている。
【００１７】
治具１０は、複数のネジ１の収容台となる第１の板１１と、複数の平ワッシャ４の収容台となる第２の板１４とを備えており、第１の板１１の上に第２の板１４を重ね合わせて使用される。なお、本実施形態に示す第１の板１１及び第２の板１４は、円形板状に形成されているが、これに限られず、例えば四角形板状でもよい。
【００１８】
第１の板１１は、その上面１１ａにネジ１の頭部２側を載置してネジ部３側を立設させる立設手段を有している。第１例における立設手段は、凹形状に形成され少なくとも頭部２の外径よりも僅かに大きい内径を有する収容部１２により構成されている。この収容部１２にネジ１の頭部２を嵌入することで、ネジ１のネジ部３を第１の板１１の上面１１ａにおいて立設させることができる。図示の例では、第１の板１１の周縁側に４つの収容部１２が形成されているが、この数に限られない。第１の板１１の中央部分には、第１の板１１と第２の板１４とを連結する四角柱状の柱部１３が立設されている。
【００１９】
第２の板１４は、その上面１４ａに平ワッシャ４を収容する４つの凹部１５を有している。各凹部１５は、平ワッシャ４を収容するためのリング状の収容面となっている。第２の板１４は、各凹部１５の内側に、凹部１５から下面１４ｂにかけて貫通しネジ１の頭部２を通過可能とする貫通孔１６をそれぞれ備えている。各貫通孔１６の位置は、第１の板１１の上面１１ａに形成された各収容部１２の位置に対応している。第２の板１４の中央部分には、柱部１３を挿入するための挿入口１７が形成されている。挿入口１７は、第２の板１４の上面１４ａから下面１４ｂにかけて貫通して形成されている。
【００２０】
次に、治具１０を用いて、ネジ１に平ワッシャ４を装着する動作について説明する。まず、第１の板１１の各収容部１２に各ネジ１を収容するとともに、第２の板１４の各凹部１５に各平ワッシャ４を収容する。これにより、図２に示すように、ネジ１のネジ部３が第１の板１１の上面１１ａから立設した状態となり、図１に示した凹部１５に収容された平ワッシャ４の開口４ａと貫通孔１６とが連通した状態となる。
【００２１】
次いで、第１の板１１の上面１１ａと第２の板１４の下面１４ｂとを対面させた状態で、第２の板１４の挿入口１７に第１の板１１の柱部１３を挿入するとともに、ネジ１の各ネジ部３を図１に示した貫通孔１６を通じて平ワッシャ４の開口４ａに挿入し、図３に示すように、第１の板１１の上に第２の板１４を重ね合わせる。このとき、図４に示すように、ネジ部３には平ワッシャ４が取り付けられ、治具１０からネジ１を取り出すことが可能な状態となる。つまり、第１例では、収容部１２の位置が、貫通孔１６の直下に位置付けられているため、貫通孔１６を通じて収容部１２からネジ１を取り出すことが可能となる。そして、図３に示すように、ネジ部３を例えば作業者が把持して持ち上げることにより、ネジ１に平ワッシャ４が装着された状態で治具１０から取り出す。
【００２２】
一方、ネジ１から平ワッシャ４を取り外す場合は、上記の装着動作と逆の動作を行えばよい。すなわち、第１の板１１の上に第２の板１４を重ね合わせた状態で、貫通孔１６から平ワッシャ４が装着された状態のネジ１を頭部２から挿入することにより、平ワッシャ４がネジ部３から外れて凹部１５に収容されるとともに、ネジ１の頭部２が収容部１２に嵌入される。その後、第１の板１１から第２の板１４を離間させ、ネジ１から平ワッシャ４を取り外す。
【００２３】
このように、本発明にかかる治具１０は、上面１１ａに頭部２を収容してネジ部３を立設させる収容部１２を有する第１の板１１と、上面１４ａに頭部２の外径より大きい外径の平ワッシャ４を収容する凹部１５を有する第２の板１４と、を備え、第２の板１４は、凹部１５から下面１４ｂにかけて貫通しネジ１の頭部２を通過可能とする貫通孔１６を備え、貫通孔１６にネジ部３を貫通させ第１の板１１の上に第２の板１４を重ねるように構成したため、第１の板１１の上に第２の板１４を重ね合わせてから、貫通孔１６を通じてネジ１を取り出すだけでネジ１に平ワッシャ４を簡単に装着することができる。
【００２４】
２  第２の実施形態
図５に示す治具２０は、ネジにワッシャを装着する治具の第２例である。本実施形態に示すネジ５は、六角穴が形成された頭部６とネジ部７とからなる。治具２０は、円形板状に形成され複数のネジ５の収容台となる第１の板２１と、第１の板２１と略同径の円形板状に形成され複数の平ワッシャ４の収容台となる第２の板２４とを備えており、第１の板２１の上に第２の板２４を重ね合わせて使用される。なお、本実施形態に示す第１の板２１及び第２の板２４は、円形板状に形成されているが、これに限定されず、例えば四角形板状でもよい。
【００２５】
第１の板２１は、その上面２１ａにネジ５の頭部６を載置してネジ部７を立設させる立設手段を有している。第２例における立設手段は、頭部６に形成された六角穴に対応した
形状（例えば六角柱形状）を有する突起部２２により構成されている。この突起部２２にネジ５の頭部６を差し込むことで、ネジ５を第１の板２１の上面２１ａにおいて立設させることができる。図示の例では、第１の板２１の周縁側に４つの突起部２２が配設されているが、この数に限られない。また、突起部２２の形状は、六角柱形状に限定されず、ネジ５の頭部６に形成される穴の形状に応じて形成すればよく、例えば円柱状でもよい。第１の板２１の中央部分には、四角柱状の柱部２３が立設されている。
【００２６】
第２の板２４の構成は、第１例の第２の板１４と同様となっている。すなわち、第２の板２４の上面２４ａに平ワッシャ４を収容する複数の凹部２５（図示の例では４つ）を有し、各凹部２５の中央には、下面２４ｂと凹部２５とを貫通しネジ５の頭部６を通過可能とする貫通孔２６をそれぞれ備えている。各貫通孔２６の位置は、第１の板２１の上面２１ａに形成された各突起部２２の位置に対応している。第２の板２４の中央部分には、柱部２３が挿入される挿入口２７が形成されている。挿入口２７は、第２の板２４の上面２４ａから下面２４ｂにかけて貫通して形成されている。
【００２７】
次に、治具２０を用いて、ネジ５に平ワッシャ４を装着する動作について説明する。まず、第１の板２１の各突起部２２に各ネジ１の頭部６を差し込むとともに、第２の板２４の各凹部２５に各平ワッシャ４を収容する。これにより、ネジ５のネジ部７が第１の板２１の上面２１ａから立設した状態となり、凹部２５に収容された平ワッシャ４の開口４ａと貫通孔２６とが連通した状態となる。
【００２８】
次いで、第１の板２１の上面２１ａと第２の板２４の下面２４ｂとを対面させた状態で、第２の板２４の挿入口２７に第１の板２１の柱部２３を挿入するとともに、各ネジ５の各ネジ部７を貫通孔２６から平ワッシャ４の開口４ａに挿入し、図６に示すように、第１の板２１の上に第２の板２４を重ね合わせる。このとき、図７に示すように、ネジ部７には平ワッシャ４が取り付けられ、治具２０からネジ５を取り出すことが可能な状態となる。つまり、第２例では、突起部２２の位置が、第２の板２４の下面２４ｂの内側で、かつ、貫通孔２６の直下に位置付けられているため、貫通孔２６を通じて突起部２２からネジ５を取り出すことが可能となる。そして、図６に示すように、ネジ部７を例えば作業者が把持して持ち上げることにより、ネジ５に平ワッシャ４が装着された状態で治具２０から取り出す。
【００２９】
一方、ネジ５から平ワッシャ４を取り外す場合は、上記の装着動作と逆の動作を行えばよい。つまり、第１の板２１の上に第２の板２４を重ね合わせた状態で、貫通孔２６から平ワッシャ４が装着された状態のネジ５を頭部６から挿入することにより、平ワッシャ４がネジ部７から外れて凹部２５に収容されるとともに、ネジ５の頭部６が突起部２２に差し込まれる。その後、第１の板２１から第２の板２４を離間させ、ネジ５から平ワッシャ４を取り外す。このように、本発明にかかる治具２０についても、第１例と同様に、第１の板２１の上に第２の板２４を重ね合わせてから、貫通孔２６を通じてネジ５を取り出すだけでネジ５に平ワッシャ４を簡単に装着することができる。
【００３０】
３  第３の実施形態
図８に示す治具３０は、ネジにワッシャを装着する治具の第３例である。第３の実施形態では、平ワッシャ４に加えてスプリングワッシャ８がネジ１に装着される。スプリングワッシャ８の中央には、ネジ１のネジ部３を挿入するための開口８ａが形成されている。治具３０は、複数のネジ１の収容台となる第１の板３１と、複数のスプリングワッシャ８及び平ワッシャ４の収容台となる第２の板３４とを備えており、第１の板３１の上に第２の板３４を重ね合わせて使用される。なお、第１の板３１及び第２の板３４の形状は、円形板状に限定されず、例えば四角形板状でもよい。
【００３１】
第１の板３１の上面３１ａには、第１例と同様に、第１の板３１の周縁側に立設手段となる例えば４つの収容部３２が形成されている。第１の板３１の中央部分には、四角柱状の柱部３３ａの下端に連結された円柱状の軸部３３ｂが立設されている。第２の板３４の中央部分には、柱部３３ａ及び軸部３３ｂが挿入される挿入口３９が形成されている。挿入口３９は、第２の板３４の上面３４ａから下面３４ｂにかけて貫通して形成されている。第３例では、柱部３３ａ及び軸部３３ｂを挿入口３９に挿入して第１の板３１の上に第２の板３４を重ね合わせた状態で、例えば柱部３３ａを回すことにより、軸部３３ｂが回転軸となって第１の板３１を回転させることができる。
【００３２】
第２の板３４は、その上面３４ａにスプリングワッシャ８を収容する第１の長円凹部３５と、第１の長円凹部３５の上で平ワッシャ４を収容する第２の長円凹部３６と、第２の板３４の下面３４ｂと第１の長円凹部３５及び第２の長円凹部３６を貫通しネジ１の頭部２を通過可能とする第２の貫通孔３７と、第２の貫通孔３７に接続され頭部２の通過を制限してネジ部３のみを通過可能とする長穴貫通孔３８とが形成されている。図示の例では、第１の長円凹部３５、第２の長円凹部３６、第２の貫通孔３７及び長穴貫通孔３８は、いずれも４つずつ形成されているが、この数に限定されない。
【００３３】
図９に示すように、第１の長円凹部３５は、長円形状の収容面となっており、かかる収容面において上記のスプリングワッシャ８を水平移動可能に収容することができる。第２の長円凹部３６は、図１０に示すように、第１の長円凹部３５の周囲に段差を設けて第１の長円凹部３５の上段側に形成された長円形状の収容面となっており、かかる収容面において上記の平ワッシャ４を水平移動可能に収容することができる。このように、第３例では、第１の長円凹部３５でスプリングワッシャ８を収容するとともに、第１の長円凹部３５に収容されたスプリングワッシャ８の真上の位置で、第２の長円凹部３６において平ワッシャ４を収容することが可能となる。なお、第１の板３１を回転させることにより、平ワッシャ４とスプリングワッシャ８とを水平移動させることから、第１の長円凹部３５と第２の長円凹部３６とは回転軸（図８に示す軸部３３ｂ）を中心として円弧状に形成されている。
【００３４】
第２の貫通孔３７は、図１０に示す第２の板３４の表裏面（上面３４ａ及び下面３４ｂ）を貫通した円柱形状の貫通孔であり、第１の長円凹部３５及び第２の長円凹部３６の一端側に形成されている。第２の貫通孔３７の直径は、図８に示したネジ１の頭部２が通過できる大きさとなっている。一方、長穴貫通孔３８は、第２の板３４の表裏面を貫通した長円形状の貫通孔であり、ネジ１のネジ部３のみが通過できる程度の大きさの幅を有しており、頭部２が通過するのを制限してネジ部３のみが通過可能となっている。
【００３５】
次に、治具３０を用いて、ネジ１にスプリングワッシャ８と平ワッシャ４とを装着する動作について説明する。まず、図８に示す第１の板３１の各収容部３２にネジ１を収容するとともに、第２の板３４の各第１の長円凹部３５にスプリングワッシャ８を収容して、各第２の長円凹部３６に平ワッシャ４を収容する。これにより、ネジ１のネジ部３が第１の板３１の上面３１ａから立設した状態となる。また、スプリングワッシャ８の開口８ａ及び平ワッシャ４の開口４ａと長穴貫通孔３８とが連通した状態となる。
【００３６】
次いで、第１の板３１の上面３１ａと第２の板３４の下面３４ｂとを対面させた状態で、第２の板３４の挿入口３９に柱部３３ａ及び軸部３３ｂを挿入するとともに、ネジ１のネジ部３を長穴貫通孔３８からスプリングワッシャ８の開口８ａ及び平ワッシャ４の開口４ａに挿入し、図１１（ａ）に示すように、第１の板３１の上に第２の板３４を重ね合わせる。このとき、ネジ部３にはスプリングワッシャ８及び平ワッシャ４が取り付けられた状態となる。
【００３７】
第３例では、長穴貫通孔３８側に位置するネジ１のネジ部３を把持して持ち上げようとしても、頭部２が長穴貫通孔３８を通過するのを制限されるため、例えば、作業者は図８に示した柱部３３ａを回すことにより軸部３３ｂを回転軸にして第１の板３１を回転させ、収容部３２に収容されたネジ１を第２の貫通孔３７側に移動させる。つまり、ネジ１の移動とともに、スプリングワッシャ８を第１の長円凹部３５に沿って水平移動させると同時に平ワッシャ４を第２の長円凹部３６に沿って水平移動させ、ネジ１の頭部２を第２の貫通孔３７側に位置付ける。続いて、図１１（ｂ）に示すように、ネジ部３を把持して持ち上げることにより、頭部２が第２の貫通孔３７を通過して、ネジ１にスプリングワッシャ８及び平ワッシャ４が装着された状態で治具３０から取り出す。一方、ネジ１からスプリングワッシャ８及び平ワッシャ４を取り外す場合は、第１の板３１の上に第２の板３４を重ね合わせた状態で、第２の貫通孔３７からスプリングワッシャ８及び平ワッシャ４が装着された状態のネジ１を頭部２から挿入し、第１の長円凹部３５にスプリングワッシャ８を収容させるとともに、第２の長円凹部３６に平ワッシャ４を収容させ、その後、第１の板３１から第２の板３４を離間させればよい。
【００３８】
さらに、第３例では、スプリングワッシャ８を選択的にネジ１に装着することも可能となっている。例えば、スプリングワッシャ８が不要な場合は、平ワッシャ４のみを第２の長円凹部３６に収容しておき、上記同様に第１の板３１の上に第２の板３４を重ね合わせてネジ１に平ワッシャ４を取り付けて、第２の貫通孔３７を通じてネジ１を治具３０から取り出せばよい。なお、第１の板３１を回転させることなく、作業者がネジ１のネジ部３を把持した状態で、ネジ１の頭部２を長穴貫通孔３８側から第２の貫通孔３７側へ移動させて、ネジ１を治具３０から取り出すこともできる。
【００３９】
このように、本発明にかかる治具３０は、第１の板３１と、上面３４ａにスプリングワッシャ８を収容する第１の長円凹部３５と第１の長円凹部３５の上で平ワッシャ４を収容する第２の長円凹部３６とを有する第２の板３４とを備え、第２の板３４は、下面３４ｂと第１の長円凹部３５及び第２の長円凹部３６を貫通してネジ１の頭部２を通過可能とする第２の貫通孔３７と、第２の貫通孔３７に接続され頭部２の通過を制限しネジ部３のみを通過可能とする長穴貫通孔３８とを備えたため、第１の板３１の上に第２の板３４を重ね合わせ、第２の貫通孔３７を通じてネジ１を取り出すだけでネジ１にスプリングワッシャ８及び平ワッシャ４を簡単に装着することができる。
【００４０】
ネジの収容台となる第１の板１１，２１及び３１は、本実施形態に示した構成に限定されない。例えば、図１２に示す第１の板４０は、その上面４０ａに複数種類のネジの頭部を載置してネジ部側を立設させる立設手段を有している。この立設手段は、例えばＭ６のネジの頭部を収容してネジ部を立設させる第１収容部４１と、第１収容部４１の下段側に例えばＭ５のネジの頭部を収容してネジ部を立設させる第２収容部４２と、第２収容部４２の下段側に例えばＭ４のネジの頭部を収容してネジ部を立設させる第３収容部４３と、第３収容部４３の中央に六角穴が形成された頭部を有する例えばＭ３のネジを立設させる六角形状の突起部４４とにより構成されている。このように構成される第１の板４０では、複数種類のネジに応じて複数の第１収容部４１、第２収容部４２、第３収容部４３及び突起部４４が形成されているため、１つの第１の板４０で少なくとも４種類のネジを収容することができ、この第１の板４０上に、ワッシャが収容された第２の板を重ね合わせるだけで、複数種類のネジに対してワッシャを簡単に装着することが可能となる。
【００４１】
なお、本実施形態に示した柱部１３、２３は、四角柱状のほか、例えば三角柱状や六角柱状などの多角柱状でもよく、第１の板１１、２１に形成された収容部１２、突起部２２の数および第２の板１４、２４に形成された貫通孔１６、２６の数に応じて、収容部１２、突起部２２に収容されたネジ１、５を貫通孔１６、２６に貫通させるときの位置合わせが容易となる角数を柱部１３、２３に備えるとよい。また、柱部３３ａについても、四角柱状のほか、例えば三角柱状や六角柱状などの多角柱状でもよく、第１の板３１に形成された収容部３２の数および第２の板３４に形成された第２の貫通孔３７、長穴貫通孔３８の数に応じて、収容部３２に収容されたネジ１を長穴貫通孔３８に貫通させるときの位置合わせが容易となる角数を柱部３３ａに備えるとよい。
【符号の説明】
【００４２】
１：ネジ  ２：頭部  ３：ネジ部  ４：平ワッシャ  ５：ネジ  ６：頭部
７：ネジ部  ８：スプリングワッシャ
１０：治具  １１：第１の板  １１ａ：上面  １２：収容部（立設手段）  １３：柱部
１４：第２の板  １４ａ：上面  １４ｂ：下面  １５：凹部  １６：貫通孔
１７：挿入口
２０：治具  ２１：第１の板  ２１ａ：上面  ２２：突起部（立設手段）  ２３：柱部
２４：第２の板  ２４ａ：上面  ２４ｂ：下面
２５：凹部  ２６：貫通孔  ２７：挿入口
３０：治具  ３１：第１の板  ３１ａ：上面  ３２：収容部（立設手段）
３３ａ：柱部  ３３ｂ：軸部  ３４：第２の板  ３４ａ：上面  ３４ｂ：下面
３５：第１の長円凹部  ３６：第２の長円凹部
３７：第２の貫通孔  ３８：長穴貫通孔  ３９：挿入口
４０：第２の板  ４０ａ：上面  ４１：第１収容部（立設手段）  ４２：第２収容部
（立設手段）  ４３：第３収容部  （立設手段）  ４４：突起部（立設手段）
【図１】
2018058161.tif 000003
【図２】
2018058161.tif 000004
【図３】
2018058161.tif 000005
【図４】
2018058161.tif 000006
【図５】
2018058161.tif 000007
【図６】
2018058161.tif 000008
【図７】
2018058161.tif 000009
【図８】
2018058161.tif 000010
【図９】
2018058161.tif 000011
【図１０】
2018058161.tif 000012
【図１１】
2018058161.tif 000013
【図１２】
2018058161.tif 000014